(57)【特許請求の範囲】
【請求項１】
室外機と、前記室外機と配管で接続される複数の室内機と、からなり、前記室外機の負荷率が所定値以下となると、運転モードを冷房運転モードから送風運転モードとするビル用マルチエアコンと、
前記ビル用マルチエアコンの前記室内機が設置される室内に、外気処理した空気を供給する際、
全熱交換器を機能させて外気処理する全熱交換器利用換気モードと、
全熱交換器を機能させず外気処理する普通換気モードと、の２つのモードを選択可能な外気処理機と、
からなる空調システムであって、
それぞれの前記室内機の温度設定を行う複数の温度設定部と、
室外温度を検出する室外温度センサと、
室内温度を検出する室内温度センサと、
前記室外温度センサで検出された温度が、前記複数の温度設定部で設定された設定温度のうち最小設定温度を下回り、かつ、予め定められた下限値を上回った場合、前記外気処理機を普通換気モードとし、
前記室内温度センサで検出される温度に基づいて、送風運転モードを継続するか否かを判定する制御部と、を有することを特徴とする空調システム。
【請求項２】
室外機と、前記室外機と配管で接続される複数の室内機と、からなり、前記室外機の負荷率が所定値以下となると、運転モードを冷房運転モードから送風運転モードとするビル用マルチエアコンと、
前記ビル用マルチエアコンの前記室内機が設置される室内に、外気処理した空気を供給する際、
全熱交換器を機能させて外気処理する全熱交換器利用換気モードと、
全熱交換器を機能させず外気処理する普通換気モードと、の２つのモードを選択可能な外気処理機と、
からなる空調システムであって、
それぞれの前記室内機の温度設定を行う複数の温度設定部と、
室外温度を検出する室外温度センサと、
前記室外温度センサで検出された温度が、前記複数の温度設定部で設定された設定温度のうち最小設定温度を下回り、かつ、負荷率が所定値以下でなかった場合、前記外気処理機を普通換気モードとすると共に、前記室内機を冷房モードから送風モードとする制御部と、を有することを特徴とする空調システム。
【発明の詳細な説明】
【技術分野】
【０００１】
本発明は、オフィスビルディングなどに適用されるビル用マルチエアコンと、外気処理機とからなる空調システムに関する。
【背景技術】
【０００２】
建物の空調システムである、いわゆるビル用マルチエアコンは、低価格、設計施工、個別制御や操作の容易さから、広く利用されている。最近ではビル用マルチエアコンの大容量化や省エネ化の進展にともなって、従来からの小規模建物だけでなく大規模建物においても採用されている。ビル用マルチエアコンは、空調システムの能力アップを機械室の増床なく簡便に行なえるため、新設の建物のみならず既設の建物における空調負荷の増強対策としても多用されている。
【０００３】
ところで、上記のようなビル用マルチエアコンを用いた空調システムにおいて、より省エネ化を目指すために、複数台のビル用マルチエアコンが効率の悪い低負荷運転となった場合、一部のエアコンの運転モードを自動的に、冷房運転モード（又は暖房運転モード）から送風運転モードに切り換え、残りのエアコンで高負荷運転させることで、効率を上げる制御を行っていた。
【０００４】
このような空調システムとしては、例えば、特許文献１（特開２０１１−４３３０６号公報）に、室外機１台に複数台の室内機を接続し、前記室外機と前記複数台の室内機の運転を制御するビル用マルチエアコンであって、前記複数台の室内機の夫々の運転モードによる運転による前記室外機の電力負荷率のデータを複数回のサンプリングにより取得し、直近Ｎ分間で取得したデータと設定値の対比に基づき、前記室外機の省エネ度が向上するように前記室外機に接続された前記複数台の室内機の運転を制御することを特徴する省エネ空調制御システムが開示されている。
【特許文献１】特開２０１１−４３３０６号公報
【発明の概要】
【発明が解決しようとする課題】
【０００５】
従来、上記のように省エネ化を目指すための制御対象機器は、ビル用マルチエアコンの室外機と室内機のみであり、ビル用マルチエアコンと共に、外気処理用に外気処理機も併設されているケースが多いにも関わらず、外気処理機は制御対象外となっていた。
【０００６】
空調の外気負荷は空調負荷のうちの約３割程度を占めており、この負荷を制御したり、外気を有効利用したりすることができれば、さらに省エネが期待できるが、従来、外気処理機は制御対象外であり、問題であった。
【課題を解決するための手段】
【０００７】
この発明は、上記課題を解決するものであって、請求項１に係る発明は、室外機と、前記室外機と配管で接続される複数の室内機と、からなり、前記室外機の負荷率が所定値以下となると、運転モードを冷房運転モードから送風運転モードとするビル用マルチエアコンと、前記ビル用マルチエアコンの前記室内機が設置される室内に、外気処理した空気を供給する際、全熱交換器を機能させて外気処理する全熱交換器利用換気モードと、全熱交換器を機能させず外気処理する普通換気モードと、の２つのモードを選択可能な外気処理機と、からなる空調システムであって、それぞれの前記室内機の温度設定を行う複数の温度設定部と、室外温度を検出する室外温度センサと、室内温度を検出する室内温度センサと、前記室外温度センサで検出された温度が、前記複数の温度設定部で設定された設定温度のうち最小設定温度を下回り、かつ、予め定められた下限値を上回った場合、前記外気処理機を普通換気モードとし、前記室内温度センサで検出される温度に基づいて、送風運転モードを継続するか否かを判定する制御部と、を有することを特徴とする。
【０００８】
また、請求項２に係る発明は、室外機と、前記室外機と配管で接続される複数の室内機と、からなり、前記室外機の負荷率が所定値以下となると、運転モードを冷房運転モードから送風運転モードとするビル用マルチエアコンと、前記ビル用マルチエアコンの前記室内機が設置される室内に、外気処理した空気を供給する際、全熱交換器を機能させて外気処理する全熱交換器利用換気モードと、全熱交換器を機能させず外気処理する普通換気モードと、の２つのモードを選択可能な外気処理機と、からなる空調システムであって、それぞれの前記室内機の温度設定を行う複数の温度設定部と、室外温度を検出する室外温度センサと、前記室外温度センサで検出された温度が、前記複数の温度設定部で設定された設定温度のうち最小設定温度を下回り、かつ、負荷率が所定値以下でなかった場合、前記外気処理機を普通換気モードとすると共に、前記室内機を冷房モードから送風モードとする制御部と、を有することを特徴とする。
【発明の効果】
【０００９】
本発明に係る空調システムは、前記室外温度センサで検出された温度が、前記複数の温度設定部で設定された設定温度のうち最小設定温度を下回った場合、前記外気処理機を普通換気モードとする制御部を有するので、本発明に係る空調システムによれば、外気処理機も制御対象となり、さらなる省エネ効果を期待することができる。
【図面の簡単な説明】
【００１０】
【図１】本発明の実施形態に係る空調システム１の構成の一例を示す図である。
【図２】本発明の実施形態に係る空調システム１における外気処理機制御処理のフローチャートを示す図である。
【図３】切り換え制御開始時刻判定処理サブルーチンのフローチャートを示す図である。
【図４】外気処理機モード切り換え判定・実行処理サブルーチンのフローチャートを示す図である。
【図５】切り換え制御終了時刻判定処理サブルーチンのフローチャートを示す図である。
【図６】本発明の実施形態に係る空調システム１におけるエアコン制御処理のフローチャートを示す図である。
【図７】切り換え制御開始時刻判定処理サブルーチンのフローチャートを示す図である。
【図８】運転モード切り換え判定・実行処理サブルーチンのフローチャートを示す図である。
【図９】切り換え制御終了時刻判定処理サブルーチンのフローチャートを示す図である。
【図１０】送風運転モード継続可否判定・実行処理サブルーチンのフローチャートを示す図である。
【図１１】第２の制御形態における外気処理機モード切り換え判定・実行処理サブルーチンのフローチャートを示す図である。
【図１２】第２の制御形態における運転モード切り換え判定・実行処理サブルーチンのフローチャートを示す図である。
【図１３】他の空調システム１の構成の一例を示す図である。
【図１４】他の空調システム１の構成の一例を示す図である。
【図１５】他の空調システム１の構成の一例を示す図である。
【発明を実施するための形態】
【００１１】
以下、本発明の実施の形態を図面を参照しつつ説明する。図１は本発明の実施形態に係る空調システム１の構成の一例を示す図である。図１に示す例では、本発明に係る空調シ
ステム１が室Ｒに適用されている様子を示しているが、本発明に係る空調システム１はこのような適用例に限定されるものではない。また、本発明に係る空調システム１は、冷房運転時に有用な技術であり、以下、空調システム１の冷房運転時の説明に限定する。
【００１２】
本発明に係る空調システム１の室外機２１、２２、及び、室内機３１、３２、３３、３４としては、所謂、公知のビル用マルチエアコンの構成が用いられる。本実施形態においては、室内機３１、３２、３３、３４としては、カセット型のものが用いられている。
【００１３】
なお、本実施形態では、室外機が２台で、室内機が４台である場合を例にとって説明を行うが、これはあくまで例示であり、本発明に係る空調システム１が本実施形態で示す態様に限定されるわけではない。
【００１４】
本例では、室内機３１と室内機３３が室外機２１と配管接続され、室内機３２と室内機３４が室外機２２と配管接続され、運用される形態を例示している。また、本例では、室外機２１と室外機２２とを基とする２系統で運用されるが、このいずれかの系統の室外機の負荷率が所定値以下となると、運転モードを冷房運転モードから送風運転モードとする制御が行われる。このような制御は、室外機２１と室外機２２より上位のコントローラーである制御部１０によって行われる。
【００１５】
また、室外機２１と室外機２２とからは、それぞれの負荷率に関するデータが、制御部１０に対して送信されるようになっている。
【００１６】
なお、制御部１０としては、例えば、必要なソフトウエアをインストールした汎用のパーソナルコンピューターや産業用コンピューターなどを用いることができる。制御部１０は、制御部１０に入力されたデータと、所定のアルゴリズムとに基づいて、各構成に対する制御指令を生成し、各構成に送信するようになっている。また、制御部１０は計時機能なども備えられたものである。
【００１７】
それぞれの室内機３１、３２、３３、３４は、室内機温度設定部４１、４２、４３、４４によって、温度設定を行うことができるようになっている。  室内機温度設定部４１、４２、４３、４４に設定される温度を、以下、それぞれＴS1、ＴS2、ＴS3、ＴS4として表す。
【００１８】
室内機温度設定部４１、４２、４３、４４によって設定された設定温度は、制御部１０に対して送信されるようになっている。また、それぞれの室内機３１、３２、３３、３４は、制御部１０からの制御指令に基づいて、動作するようになっている。
【００１９】
また、室内温度センサ１１、１２、１３、１４は室内の温度ＴR1、ＴR2、ＴR3、ＴR4を検出するセンサであり、室外温度センサ１５は室外の温度を検出するセンサである。これらのセンサで検出された温度データは、制御部１０に送信されるようになっている。
【００２０】
また、室内温度センサ１１、１２、１３、１４で検出される温度は、それぞれ室内機３１、３２、３３、３４による空調の影響が反映されるものである。
【００２１】
外気処理機５１、５２は、ビル用マルチエアコンの室内機３１、３２、３３、３４が設置される室内に、外気処理した空気を供給するものであり、不図示の全熱交換器を内蔵している。このような外気処理機５１、５２としては、汎用のものを用いることができる。
【００２２】
また、本発明に係る空調システム１においては、全熱交換器を機能させて外気処理する全熱交換器利用換気モードと、全熱交換器を機能させず外気処理する普通換気モードと、
の２つのモードを選択可能なものが利用される。外気処理機５１、５２は、制御部１０から入力される制御指令に基づいて、全熱交換器利用換気モード又は普通換気モードを切り換え可能とされている。
【００２３】
次に、以上のように構成された空調システム１における外気処理機５１、５２の制御の一例について説明する。なお、このような制御は、制御部１０によって実行される。
【００２４】
図２は本発明の実施形態に係る空調システム１における外気処理機制御処理のフローチャートを示す図である。
【００２５】
図２において、ステップＳ１００で、外気処理機制御処理が開始されると、続いて、ステップＳ１０１において、切り換え制御開始時刻判定処理サブルーチンが実行される。
【００２６】
図３は切り換え制御開始時刻判定処理サブルーチンフローチャートを示す図である。ステップＳ２００で、切り換え制御開始時刻判定処理サブルーチンが開始されると、続く、ステップＳ２０１では、時刻情報（ＨＨ：ＭＭ：ＳＳ）が取得され、ステップＳ２０２では、時刻情報中の分の情報（ＭＭ）に着目し、ＭＭ＝Ｘ０であるか否かが判定される。すなわち、ＭＭ＝００、１０、２０、３０、４０、５０であるか否かが判定される。この判定がＹＥＳであると、ステップＳ２０３に進み、メインルーチンにリターンする。すなわち、続くステップＳ１０２は、時刻における分が、００分、１０分、２０分、３０分、４０分、５０分であるときに実行される。
【００２７】
ステップＳ１０２では、外気処理機モード切り換え判定・実行処理サブルーチンが実行される。
【００２８】
図４は外気処理機モード切り換え判定・実行処理サブルーチンのフローチャートを示す図である。図４において、ステップＳ３００で、  外気処理機切り換え判定・実行処理サブルーチンが開始されると、続いて、ステップＳ３０１では、変数ｎに１がセットされる。ステップＳ３０２では、室内機温度設定部における設定温度（ＴSn）を取得する。ステップＳ３０３では、ｎ＝４であるか否かが判定される。なお、ステップＳ３０３でｎ＝４であるか否かが判定されるが、これは室内機が４台であることに起因しており、あくまで、一つの例である。室内機の台数が異なる場合などには、ステップＳ３０３では、他の判断基準が用いられる。
【００２９】
ステップＳ３０３における判定がＮＯであれば、ステップＳ３０８に進み、ｎを１インクリメントして、ステップＳ３０２に進む。一方、ステップＳ３０３における判定がＹＥＳであれば、続いて、ステップＳ３０４に進む。
【００３０】
以上のような各ステップにより、制御部１０は、室内機温度設定部４１、４２、４３、４４に設定される温度ＴS1、ＴS2、ＴS3、ＴS4を取得することができる。
【００３１】
なお、本実施形態では、温度ＴS1、ＴS2、ＴS3、ＴS4の全てを取得するアルゴリズムが採用されているが、必ずしも温度ＴS1、ＴS2、ＴS3、ＴS4の全てを取得する必要はなく、制御をすべき系統に関連づけられた機器の室内機温度設定部に設定された温度が取得されるようにしてもよい。例えば、室外機２１の系統のエアコンが制御対象であれば、温度ＴS1、及び温度ＴS3の２つ設定温度を取得するようにしてもよい。また、室外機２２の系統のエアコンが制御対象であれば、温度ＴS2、及び温度ＴS4の２つ設定温度を取得するようにしてもよい。
【００３２】
ステップＳ３０４では、室外温度センサ１５から室外温度（ＴO）を取得する。
【００３３】
ステップＳ３０５では、ｍｉｎ｛ＴS1，ＴS2，ＴS3，ＴS4｝＞ＴO＞Ｔminであるか否かが判定される。ここで、ｍｉｎ｛ＴS1，ＴS2，ＴS3，ＴS4｝は、ＴS1、ＴS2、ＴS3、ＴS4のうち最も小さい値であり、Ｔminは予め定められた下限値である。なお、下限値Ｔminが定められているのは、あまりに冷たい外気を室内に導入してしまうと、室内の温度変化が激しくなってしまうからである。
【００３４】
すなわち、ステップＳ３０５では、室外温度ＴOがＴS1、ＴS2、ＴS3、ＴS4のうち最も
小さい値より小さく、かつ、下限値Ｔminより大きいかが判定される。
【００３５】
ステップＳ３０５における判定がＮＯである時には、ステップＳ３０６に進み、外気処理機５１、５２のモードを、全熱交換器を機能させて外気処理する全熱交換器利用換気モードとする。
【００３６】
一方、ステップＳ３０５における判定がＹＥＳである時には、ステップＳ３０７に進み、外気処理機５１、５２のモードを、全熱交換器を機能させず外気処理する普通換気モードとする。この普通換気モードでは、室内機温度設定部４１、４２、４３、４４のいずれで設定された温度よりも低い外気が導入されることとなる。
【００３７】
なお、例えば、室外機２１の系統のエアコンが制御対象であれば、ステップＳ３０７の普通換気モードによって、温度ＴS1、及び温度ＴS3の２つのいずれかで設定された温度よりも低い外気が導入されるようにしてもよい。
【００３８】
ステップＳ３０９では、リターンして、メインルーチンに戻る。
【００３９】
メインルーチンに戻り、ステップＳ１０３では、外気処理機５１、５２のモードが、普通換気モードとなったか否かが判定される。ステップＳ１０３の判定がＮＯであれば、ステップＳ１０１に戻り、再び、１０分後に、ステップＳ１０２のサブルーチンが実行されることとなる。一方、ステップＳ１０３の判定がＹＥＳであると、ステップＳ１０４の切り換え制御終了時刻判定処理サブルーチンに進む。
【００４０】
図５は切り換え制御終了時刻判定処理サブルーチンフローチャートを示す図である。ステップＳ４００で、切り換え制御開始時刻判定処理サブルーチンが開始されると、続く、ステップＳ４０１では、時刻情報（ＨＨ：ＭＭ：ＳＳ）が取得され、ステップＳ４０２では、時刻情報中の分の情報（ＭＭ）に着目し、ＭＭ＝Ｘ５であるか否かが判定される。すなわち、ＭＭ＝０５、１５、２５、３５、４５、５５であるか否かが判定される。この判定がＹＥＳであると、ステップＳ４０３に進み、メインルーチンにリターンする。すなわち、続く、ステップＳ１０５は、時刻における分が、０５分、１５分、２５分、３５分、４５分、５５分であるときに実行される。
【００４１】
ステップＳ１０５では、外気処理機モード切り換え判定・実行処理サブルーチンが実行される。このサブルーチンとしては、図４に関連して説明したものと同様のものを用いることができる。
【００４２】
ステップＳ１０６では、ステップＳ１０５の判定の結果、外気処理機５１、５２において、普通換気モードが継続となったか否かが判定される。
【００４３】
Ｓ１０６の判定がＮＯであれば、ステップＳ１０１に戻り、再び、５分後に、ステップＳ１０２のサブルーチンが実行されることとなる。一方、ステップＳ１０６の判定がＹＥＳであると、ステップＳ１０４の切り換え制御終了時刻判定処理サブルーチンに進み、１
０分後に、再び、外気処理機モード切り換え判定・実行処理サブルーチン（ステップＳ１０５）が実行される。
【００４４】
次に、以上のように構成された空調システム１におけるエアコンの制御の一例について説明する。なお、このような制御は、制御部１０によって実行される。本実施形態においては、エアコンの制御は、外気処理機５１、５２の制御と独立して実行される。
【００４５】
図６は本発明の実施形態に係る空調システム１におけるエアコン制御処理のフローチャートを示す図である。
【００４６】
図６において、ステップＳ５００で、エアコン制御処理が開始されると、続いて、ステップＳ５０１においては、切り換え制御開始時刻判定処理サブルーチンが実行される。
【００４７】
図７は切り換え制御開始時刻判定処理サブルーチンフローチャートを示す図である。ステップＳ６００で、切り換え制御開始時刻判定処理サブルーチンが開始されると、続く、ステップＳ６０１では、時刻情報（ＨＨ：ＭＭ：ＳＳ）が取得され、ステップＳ６０２では、時刻情報中の分の情報（ＭＭ）に着目し、ＭＭ＝Ｘ０であるか否かが判定される。すなわち、ＭＭ＝００、１０、２０、３０、４０、５０であるか否かが判定される。この判定がＹＥＳであると、ステップＳ６０３に進み、メインルーチンにリターンする。すなわち、続くステップＳ５０２は、時刻における分が、００分、１０分、２０分、３０分、４０分、５０分であるときに実行される。
【００４８】
メインルーチンに戻り、ステップＳ５０２では、運転モード切り換え判定・実行処理サブルーチンが実行される。図８は運転モード切り換え判定・実行処理サブルーチンのフローチャートを示す図である。図８に示すフローチャートでは、室外機２１、又は、室外機２２のいずれかのエアコンを制御する。なお、室外機２１、又は、室外機２２のいずれかのエアコンを制御することに代え、室外機２１、及び、室外機２２の双方のエアコンを制御するようにしても構わない。
【００４９】
図８において、ステップＳ７００で、運転モード切り換え判定・実行処理サブルーチンが開始されると、ステップＳ７０１では、室外機から負荷率を取得する。なお、取得する負荷率は、制御対象であるエアコンの、室外機２１、又は、室外機２２のいずれかのものである。ここで、室外機２１、及び、室外機２２の双方のエアコンを制御する場合には、双方の負荷率を取得する。
【００５０】
ステップＳ７０２では、負荷率が所定値以下であるか否かが判定される。ステップＳ７０２の判定結果がＮＯであれば、ステップＳ７０３に進み、冷房運転モードとされる。一方、ステップＳ７０２の判定結果がＹＥＳであれば、室外機が非効率な領域で運転されていることとなるので、ステップＳ７０４に進み、送風運転モードが実行される。これにより、室外機２１、又は、室外機２２のずれかのエアコンが、送風運転モードとなる。なお、本例では、室外機２１、又は、室外機２２のずれかのエアコンが、送風運転モードとなる場合を説明しているが、設定によっては、室外機２１、及び、室外機２２の両方ともが送風運転モードとなるような場合もあり得る。
【００５１】
ステップＳ７０５では、リターンしてメインルーチンに戻る。
【００５２】
図６乃至１０において、説明しているルーチンによるエアコンの制御については、出願人による特許第５０６２５５５号における制御と同様のものである。
【００５３】
メインルーチンに戻り、ステップＳ５０３では、室外機２１、又は、室外機２２のずれ
かの予め定められた系統のエアコンの運転モードが、送風モードとなったか否かが判定される。ステップＳ５０３の判定がＮＯであれば、ステップＳ５０１に戻り、再び、１０分後に、ステップＳ５０２のサブルーチンが実行されることとなる。一方、ステップＳ５０３の判定がＹＥＳであると、ステップＳ５０４の切り換え制御終了時刻判定処理サブルーチンに進む。
【００５４】
図９は切り換え制御終了時刻判定処理サブルーチンフローチャートを示す図である。ステップＳ８００で、切り換え制御開始時刻判定処理サブルーチンが開始されると、続く、ステップＳ８０１では、時刻情報（ＨＨ：ＭＭ：ＳＳ）が取得され、ステップＳ８０２では、時刻情報中の分の情報（ＭＭ）に着目し、ＭＭ＝Ｘ５であるか否かが判定される。すなわち、ＭＭ＝０５、１５、２５、３５、４５、５５であるか否かが判定される。この判定がＹＥＳであると、ステップＳ８０３に進み、メインルーチンにリターンする。すなわち、続く、ステップＳ５０５は、時刻における分が、０５分、１５分、２５分、３５分、４５分、５５分であるときに実行される。
【００５５】
ステップＳ５０５では、送風運転モード継続可否判定・実行処理サブルーチンが実行される。図１０は、送風運転モード継続可否判定・実行処理サブルーチンのフローチャートを示す図である。
【００５６】
図１０において、ステップＳ９００で、送風運転モード継続可否判定・実行処理サブルーチンが開始されると、続く、ステップＳ９０１においては、室内温度センサ１１、１２、１３、１４から室内温度ＴR1、ＴR2、ＴR3、ＴR4を取得する。
【００５７】
続く、ステップＳ９０２においては、予め定められた許容温度ＴAと、室内平均温度Ｔ
’Rとを比較し、Ｔ’R＞ＴAが成立するか否かが判定される。ここで、Ｔ’R＝（ＴR1＋ＴR2＋ＴR3＋ＴR4）／４である。
【００５８】
室内平均温度Ｔ’Rが許容温度ＴAを超えてしまい、ステップＳ９０２における判定がＹＥＳであると、ステップＳ９０３では、冷房運転モードに切り換えを行う。
【００５９】
なお、許容温度ＴAは、室Ｒに対して１つの設定としてもよいし、例えば、室Ｒ内に、
仮想的に複数のゾーンを設定したような場合には、それぞれのゾーンに対して設定するようにしてもよい。
【００６０】
一方、ステップＳ９０２における判定がＮＯであると、ステップＳ９０４に進み、送風運転モードを継続する。
【００６１】
ステップＳ９０５では、リターンしメインルーチンに戻る。
【００６２】
ステップＳ５０６では、ステップＳ５０５の判定の結果、室外機２１、又は、室外機２２のずれかの予め定められた系統のエアコンの運転モードが、送風運転モードが継続となったか否かが判定される。
【００６３】
Ｓ５０６の判定がＮＯであれば、送風運転モードから冷房運転モードとなった系統は、ステップＳ５０７に進み、所定時間（例えば、３０分程度）が経過するまでは、冷房運転モードが継続される。ステップＳ５０７で所定時間が経過すると、ステップＳ５０１に戻る。
【００６４】
一方、ステップＳ５０６の判定がＹＥＳであると、ステップＳ５０４の切り換え制御終了時刻判定処理サブルーチンに進み、１０分後に、再び、送風運転モード継続可否判定・
実行処理サブルーチン（ステップＳ５０５）が実行される。
【００６５】
以上のように、本発明に係る空調システム１は、室外温度センサ１５で検出された温度が、複数の室内機温度設定部４１、４２、４３、４４で設定された設定温度のうち最小設定温度を下回った場合、外気処理機５１、５２を普通換気モードとする制御部１０を有するので、本発明に係る空調システム１によれば、外気処理機５１、５２も制御対象となり、さらなる省エネ効果を期待することができる。
【００６６】
なお、以上の実施形態では、室内機温度設定部の設定温度ＴS1、ＴS2、ＴS3、ＴS4の全てを取得するアルゴリズムが採用されているが、必ずしも温度ＴS1、ＴS2、ＴS3、ＴS4の全てを取得する必要はなく、制御をすべき系統に関連づけられた機器の室内機温度設定部に設定された温度が取得されるようにしてもよい。
【００６７】
次に、本発明の他の制御形態について説明する。第１の制御形態においては、外気処理機５１、５２の制御と、エアコンの制御が独立していたが、第２の制御形態においては、外気処理機５１、５２の制御と、エアコンとが連動して制御される。
【００６８】
以下、第２の制御形態が先の第１の制御形態と異なる点について説明する。まず、第２の制御形態は、先の第１の制御形態と、外気処理機の制御における外気処理機モード切り換え判定・実行処理サブルーチンにおける判定基準が異なっている。
【００６９】
図１１は第２の制御形態における外気処理機モード切り換え判定・実行処理サブルーチンのフローチャートを示す図である。
【００７０】
第２の制御形態では、ステップＳ１００５では、ｍｉｎ｛ＴS1，ＴS2，ＴS3，ＴS4｝−Ｔα＞ＴO＞Ｔminであるか否かが判定され、これにより、換気モードが選択されるようになっている。ここで、Ｔαは所定の値である。すなわち、本実施形態においては、ＴS1、ＴS2、ＴS3、ＴS4のうち最も小さい値よりさらにＴα低い温度が判定の基準となっている。
【００７１】
なお、第２の制御形態においても、温度ＴS1、ＴS2、ＴS3、ＴS4の全てを取得するアルゴリズムが採用されているが、必ずしも温度ＴS1、ＴS2、ＴS3、ＴS4の全てを取得する必要はなく、制御をすべき系統に関連づけられた機器の室内機温度設定部に設定された温度が取得されるようにしてもよい。例えば、室外機２１の系統のエアコンが制御対象であれば、温度ＴS1、及び温度ＴS3の２つ設定温度を取得するようにしてもよい。また、室外機２２の系統のエアコンが制御対象であれば、温度ＴS2、及び温度ＴS4の２つ設定温度を取得するようにしてもよい。
【００７２】
また、第２の制御形態は、第１の制御形態と、エアコンの制御における運転モード切り換え判定・実行処理サブルーチンが異なっている。
【００７３】
図１２は、第２の制御形態における運転モード切り換え判定・実行処理サブルーチンのフローチャートを示す図である。
【００７４】
第１の制御形態においては、室外機２１、又は、室外機２２のずれかの予め定められた系統のエアコンが、送風運転モードとなる基準は、負荷率のみであったが、第２の制御形態においては、外気処理機が普通換気モードであるか否かも基準となる。図１２のステップＳ１１０５では、外気処理機が普通換気モードであるか否かが判定され、当該判定がＹＥＳであると、ステップＳ１１０４に進み、室外機２１、又は、室外機２２のずれかの予め定められた系統のエアコンが、送風運転モードとなる。
【００７５】
以上の第２の制御形態のように、外気処理機の制御に連動するようにエアコンを制御することで、より大きな省エネ効果を期待することができる。
【００７６】
次に、本発明に係る空調システム１の他の構成例について説明する。図１３は他の空調システム１の構成の一例を示す図である。図１３における例では、室内機３１、３２、３３、３４として天井埋め込み型のものが用いられている。また、外気処理機５１、５２によって取り入れられた室外の空気は、室内機３１、３２、３３、３４を介して、室内に吹き出されるように構成されている。本発明に係る空調システム１は、このような構成にも適用することが可能である。
【００７７】
また、図１４は、外気処理機５１、５２として、加熱加湿直膨コイル付き全熱交換機が搭載されたものが用いられ、室内機３１、３２、３３、３４としてカセット型のものが用いられている例である。また、図１５は、外気処理機５１、５２として、加熱加湿直膨コイル付き全熱交換機が搭載されたものが用いられ、室内機３１、３２、３３、３４として天井埋め込み型のものが用いられている例である。本発明に係る空調システム１は、以上のような構成にも適宜適用することが可能である。
【００７８】
以上、本発明に係る空調システム１は、前記室外温度センサで検出された温度が、前記複数の温度設定部で設定された設定温度のうち最小設定温度を下回った場合、前記外気処理機を普通換気モードとする制御部を有するので、本発明に係る空調システム１によれば、外気処理機も制御対象となり、さらなる省エネ効果を期待することができる。
【符号の説明】
【００７９】
１・・・空調システム
１０・・・制御部
１１、１２、１３、１４・・・室内温度センサ
１５・・・室外温度センサ
２１、２２・・・室外機
３１、３２、３３、３４・・・室内機
４１、４２、４３、４４・・・室内機温度設定部
５１、５２・・・外気処理機
【図１】
0006390999.tif 000002
【図２】
0006390999.tif 000003
【図３】
0006390999.tif 000004
【図４】
0006390999.tif 000005
【図５】
0006390999.tif 000006
【図６】
0006390999.tif 000007
【図７】
0006390999.tif 000008
【図８】
0006390999.tif 000009
【図９】
0006390999.tif 000010
【図１０】
0006390999.tif 000011
【図１１】
0006390999.tif 000012
【図１２】
0006390999.tif 000013
【図１３】
0006390999.tif 000014
【図１４】
0006390999.tif 000015
【図１５】
0006390999.tif 000016